(57)【特許請求の範囲】
【請求項１】
展開状態において、腹周り部が定義された前身頃と、前記前身頃と離間して配置された後身頃と、前記前身頃と前記後身頃との間に位置し、脚周り部が定義された股下部と、を備え、前記前身頃に前記後身頃を締結するための止着部が、前記後身頃の側縁部に設けられた使い捨ておむつであって、
前記止着部は、第１の止着テープと、前記使い捨ておむつの長手方向において、前記第１の止着テープに離間して配置された第２の止着テープと、を有し、
前記第１の止着テープと前記第２の止着テープは、１枚のテープが共通基部から枝分かれして出来ており、
前記第１の止着テープと前記第２の止着テープの全面に締結要素が配設され、
前記第２の止着テープには、前記締結要素を形成した面の裏面に、前記締結要素を含む前記第１の止着テープを着脱可能に固着するためのターゲット要素が形成され、
前記第１の止着テープの有効長さ／前記第２の止着テープの有効長さとして定義される前記第２の止着テープの有効長さに対する前記第１の止着テープの有効長さの比率は、１．５以上４．０以下であることを特徴とする使い捨ておむつ。
【請求項２】
請求項１記載の使い捨ておむつであって、
前記使い捨ておむつの長手方向において、前記第１の止着テープは、前記第２の止着テープよりも前記股下部側に配置されることを特徴とする使い捨ておむつ。
【請求項３】
請求項１記載の使い捨ておむつであって、
前記使い捨ておむつの長手方向において、前記第１の止着テープは、前記第２の止着テープよりも前記腹周り部側に配置されることを特徴とする使い捨ておむつ。
【請求項４】
請求項１から請求項３の何れか一項に記載の使い捨ておむつであって、
前記第１の止着テープの有効長さ／前記第２の止着テープの有効長さとして定義される前記第２の止着テープの有効長さに対する前記第１の止着テープの有効長さの比率は、２．０以上３．０以下であることを特徴とする使い捨ておむつ。
【発明の詳細な説明】
【技術分野】
【０００１】
本発明は、使い捨ておむつに関する。
【背景技術】
【０００２】
一般的に、使い捨ておむつには、テープ止めタイプ、パンツタイプなどの様々な種類がある。例えば、これらのタイプは、着用者が大人の場合には、排泄時における介護の必要度に応じて適宜選択されている。なかでも、テープ止めタイプの使い捨ておむつは、日常的に寝て過ごす時間が多い、自分ではトイレで排泄ができないなど、重度の要介護者への需要が多くなっている。特に、テープ止めタイプの使い捨ておむつは、別体の尿取りパッドを併用することで、使い捨ておむつ交換に要する介護者および被介護者の負担軽減、排泄毎に外側の使い捨ておむつを交換する必要をなくすことによって、経済的負担および廃棄物量の軽減に資するものである。
【０００３】
テープ止めタイプの使い捨ておむつには、おむつ外部への体液漏れを防ぎ、快適に着用できるような身体へのフィット性と、着脱を容易に行うことができる着脱容易性と、が求められている。特に、身体へのフィット性に関しては、臀部のサイズを基準としたＳ、Ｍ、Ｌ、ＬＬといったサイズをテープ止めタイプの使い捨ておむつに設定することで実現しているが、実際には、脚周りや腹周りのサイズも、着用者によって大きく異なるため、改善の余地があった。さらに、満腹時と空腹時のような着用者の体形変化、座位と立位、就寝時の上向きと横向きのような着用者の体勢変化、および、複数枚重ねて着用した尿取りパッドの厚さによる使い捨ておむつの形状変化によっても、使い捨ておむつの身体へのフィット性は低下するため、これらの変化に追従した身体へのフィット性に関しても改善の余地があった。
【０００４】
そこで、テープ止めタイプの使い捨ておむつの身体へのフィット性を改善するものとして、特許文献１には、後身頃のサイドフラップの一側縁部に２個の止着テープが配置され、止着テープの各々に締結手段を形成した面とは反対側の面に締結手段を着脱可能に固定するためのターゲットゾーンを形成することにより、２個の止着テープを重ね止めできる使い捨ておむつが開示されている。
【０００５】
また、特許文献２には、後身頃の一側縁部に２個の止着テープが配置され、止着テープを交差して重ね止めできる使い捨ておむつが開示されている。
【先行技術文献】
【特許文献】
【０００６】
【特許文献１】特開２００４−２０１８９４号公報
【特許文献２】特開２０１４−２８３１８号公報
【発明の概要】
【発明が解決しようとする課題】
【０００７】
しかし、特許文献１および特許文献２に記載の使い捨ておむつは、止着テープの重ね止め部分の位置および角度が限定的であり、身体へのフィット性を十分に得ることはできなかった。
【０００８】
従って、本発明は、止着テープの重ね止め部分の位置や角度に自由度を持たせ、腹周り部および股下部におけるフィット性を高めた使い捨ておむつを提供することを目的とする。
【課題を解決するための手段】
【０００９】
（１）本発明の一実施形態に係る使い捨ておむつは、展開状態において、腹周り部が定義された前身頃と、前記前身頃と離間して配置された後身頃と、前記前身頃と前記後身頃との間に位置する股下部と、を備え、前記前身頃に前記後身頃を締結するための止着部が、前記後身頃の側縁部に設けられた使い捨ておむつであって、前記止着部は、第１の止着テープと、前記使い捨ておむつの長手方向において、前記第１の止着テープに離間して配置された第２の止着テープと、を有し、前記第１の止着テープの有効長さは、前記第２の止着テープの有効長さよりも長いことを特徴とする。
（２）本発明の一実施形態に係る使い捨ておむつは、上記（１）記載の使い捨ておむつであって、前記使い捨ておむつの長手方向において、前記第１の止着テープは、前記第２の止着テープよりも前記股下部側に配置されることを特徴としてもよい。
（３）本発明の一実施形態に係る使い捨ておむつは、上記（１）記載の使い捨ておむつであって、前記使い捨ておむつの長手方向において、前記第１の止着テープは、前記第２の止着テープよりも前記腹周り部側に配置されることを特徴としてもよい。
（４）本発明の一実施形態に係る使い捨ておむつは、上記（１）から（３）の何れか一項に記載の使い捨ておむつであって、前記第１の止着テープの有効長さ／前記第２の止着テープの有効長さとして定義される前記第２の止着テープの有効長さに対する前記第１の止着テープの有効長さの比率は、１．５以上４．０以下であることを特徴としてもよい。
（５）本発明の一実施形態に係る使い捨ておむつは、上記（１）から（３）の何れか一項に記載の使い捨ておむつであって、前記第１の止着テープの有効長さ／前記第２の止着テープの有効長さとして定義される前記第２の止着テープの有効長さに対する前記第１の止着テープの有効長さの比率は、２．０以上３．０以下であることを特徴としてもよい。
【発明の効果】
【００１０】
本発明の使い捨ておむつは、止着テープの重ね止め部分の位置や角度に自由度を持たせ、使い捨ておむつの腹周り部および股下部におけるフィット性を高めることができる。
【図面の簡単な説明】
【００１１】
【図１】展開状態における本発明の一実施形態に係る使い捨ておむつを示す展開平面図である。
【図２】展開状態における本発明の一実施形態に係る使い捨ておむつの変形例を示す展開平面図である。
【図３】本発明の実施形態に係る使い捨ておむつの止着部を拡大した部分拡大図である。
【図４】本発明の実施形態に係る使い捨ておむつの斜視図であって、（ａ）は第１の止着テープおよび第２の止着テープを平行に配置して固着した場合を示す斜視図、（ｂ）は第１の止着テープおよび第２の止着テープを交差配置して固着した場合を示す斜視図である。
【発明を実施するための形態】
【００１２】
なお、本実施形態の説明は、特に説明がない限り、全体を通して同じ要素には同じ番号を付している。なお、本実施形態の説明において、使い捨ておむつ１の長手方向は、使い捨ておむつ１が着用されたときに着用者の前後にわたる方向であり、使い捨ておむつ１の短手方向は、長手方向に対して横切り又は直交する方向を意味する。また、本実施形態の説明において、体液とは、尿、血液や軟便中の水分などの体内から体外に排出された液体をいう。本実施形態の使い捨ておむつ１は、尿失禁用、女性の生理用物品など体液吸収用に用いることができる。
【００１３】
次に、図１から図４を参照して、本発明の実施形態に係る使い捨ておむつ１について説明する。図１は、使い捨ておむつ１の展開状態における平面図であり、使い捨ておむつ１の断面を説明するために、各部材の一部を切り取った展開平面図である。図４（ａ）および図４（ｂ）は使い捨ておむつ１の斜視図である。
【００１４】
使い捨ておむつ１は、いわゆるテープタイプの使い捨ておむつであり、使い捨ておむつ１の着用時において、着用者の腹側に位置付けられる前身頃１０と、着用者の背側に位置付けられる後身頃２０と、着用者の股間部に配置される股下部３０と、後身頃２０の両側縁部２２に設けられ、前身頃１０と後身頃２０と締結するための一対の止着部４０と、を含む。図１に示すように、展開状態において、前身頃１０と後身頃２０とは、使い捨ておむつ１の長手方向に離間して位置づけられ、股下部３０は、前身頃１０と後身頃２０との間に位置付けられる。そして、使い捨ておむつ１の使用時には、前身頃１０と後身頃２０と対向配置して、止着部４０を前身頃１０に締結することで、図４（ａ）または（ｂ）に示す使い捨ておむつ１となる。使い捨ておむつ１は、使い捨ておむつ１の短手方向において、前身頃１０および後身頃２０の幅は、股下部３０の幅よりも大きくなるように設けられている。
【００１５】
図１には、肌当接面側から非肌当接面側に至る断面形状を説明するために、各部材の一部を切り取ったものを図示している。図示するように、使い捨ておむつ１は、肌当接面側に液透過性のトップシート１１２、非肌当接面側に液不透過性のバックシート１１４、トップシート１１２とバックシート１１４との間に吸収体１１６を備える。このように、使い捨ておむつ１は、肌当接面側から着用者の体液が浸透し、吸収体１１６に吸収され、バックシート１１４を超えて、体液が浸透しないように構成されている。バックシート１１４は、展開状態における使い捨ておむつ１の平面形状を呈するシート状に構成され、トップシート１１２と吸収体１１６とは、バックシート１１４よりも面積を小さく設けて、バックシート１１４に積層されて設けられている。トップシート１１２とバックシート１１４などの各部材の接合は、熱や超音波を用いた溶着やホットメルト接着剤による接着などにより行われてもよい。なお、図１では、図の理解を容易にするために、吸収体１１６の輪郭を一点鎖線にて描いている。図１に示すように、吸収体１１６は、使い捨ておむつ１の短手方向において、股下部３０の幅が狭まった、いわゆる砂時計型とされている。
【００１６】
さらに、使い捨ておむつ１には、トップシート１１２上に、使い捨ておむつ１の両側縁に沿って、左右一対の立体ギャザー１１８が設けられていてもよいし、図示しない補助シートなどの他の部材を含んでもよいことは言うまでもない。使い捨ておむつ１の短手方向における立体ギャザー１１８の外端部は、バックシート１１４に固定され、内端部はトップシート１１２に固着され、中央部はトップシートに固定されない自由端となるように、立体ギャザーシートが配され、糸ゴム等の弾性部材を長手方向に沿って設けることで、起立性を有し、使用者の体型に合わせて変形可能となるように設けられる。また、腰周り部Ｗには、図示しない弾性部材などによってウエストギャザーが形成され、使い捨ておむつ１２が着用者の腰周りに密着するように構成されていてもよい。立体ギャザーシートとしては、疎水性繊維にて形成された撥水性または不透液性の不織布、例えば、スパンボンド不織布やメルトブロー不織布、ＳＭＳ不織布などが使用される。弾性部材としては、例えば、ポリウレタン糸、帯状のポリウレタンフィルム、糸状または帯状の天然ゴム等が使用される。
【００１７】
なお、トップシート１１２は、体液が吸収体１１６へと移動するように液透過性を備えていればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料を所定の形状とすることで形成できる。また、トップシート１１２には、トップシート１１２の液透過性を向上させるために、表面にエンボス加工や穿孔加工を施してもよい。その加工方法は、公知の方法を制限なく行うことができる。また、肌への刺激を低減させるために、トップシート１１２には、ローション、酸化防止剤、抗炎症成分、ｐＨ調整剤、抗菌剤、保湿剤等を含有させてもよい。
【００１８】
バックシート１１４は、吸収体１１６が保持する体液が漏れないように液不透過性を備えたものであればよく、疎水性繊維にて形成された撥水性または不透液性の不織布、樹脂フィルム、あるいはこれらを積層した複合シートといった材料から形成される。不織布は、製法が特に限定されることはなく、例えば、スパンボンドやメルトブロー不織布、あるいは、スパンボンド／メルトブロー、スパンボンド／メルトブロー／スパンボンドを積層した複合不織布、及びこれらの複合材料が考えられる。また、樹脂フィルムとしては、例えば、ポリエステル、ポリビニルアルコール、ポリエチレン、ポリプロピレン、ポリエチレンとポリプロピレンの複合フィルム等を用いることができる。また、装着時の蒸れを防止するために、バックシート１１４には、透湿性を備えさせてもよい。例えば、バックシート１１４にフィラーを配合することや、バックシートに穿孔のためのエンボス加工を施すことで、バックシートに透湿性を備えさせることができる。
【００１９】
吸収体１１６の基材としては、体液を吸収保持できるものを特に制限なく用いることができる。例えば、吸収体１１６の基材は、パルプ繊維等の液体吸収性繊維を所定形状に成形したものを含み、液体吸収性繊維に高吸水性樹脂（ＳＡＰ（Ｓｕｐｅｒ  Ａｂｓｏｒｂｅｎｔ  Ｐｏｌｙｍｅｒ））を含有させたものであってもよい。例えば、吸収体１１６の基材は、フラッフパルプ、親水性シートおよび高吸水性樹脂を備える。この例の場合、高吸水性樹脂が混入または囲繞された液体吸収性繊維を成形して成形体をなし、高吸水性樹脂粒子の漏洩防止や吸収性部材の形状を安定させるために、この成形体をティシュのような親水性シート（図示せず）によって被覆することで形成される。フラッフパルプとしては、例えば、木材パルプ及び合成繊維、ポリマー繊維および非木材パルプを綿状に解繊したものがある。また、高吸水性樹脂は、吸液により膨潤等して高い液体の保持性能を有した高分子重合体を備える粒状の樹脂体であり、例えば、ポリアクリル酸ナトリウム系が挙げられる。親水性シートとしては、ティシュ、吸収紙、親水性不織布が例として挙げられる。
【００２０】
吸収体１１６は、吸収体１１６の基材を単層あるいは複数層に積層して構成される。さらに、吸収体１１６は、表面にエンボス加工を施すことで、体液の拡散をコントロールすると共に、着用者の体型に応じて容易に変形可能とすることができる。
【００２１】
止着部４０は、図１に示すように、一端が使い捨ておむつ１の後身頃２０の側縁部２２に接合され、他端が自由端となっている。この接合は、熱や超音波を用いた溶着やホットメルト接着剤による接着などによって行われている。そして、図４（ａ）および（ｂ）に示すように、腹周り部Ｗにおいて、後身頃２０が、少なくとも部分的に前身頃１０と重なる状態となるように、止着部４０が前身頃１０の両側縁部１６に固着される。前身頃１０の両側縁部１６に止着部４０が固着されることにより、後身頃２０の両側縁部２２が前身頃１０の両側縁部１６に接続される。止着部４０は、使い捨ておむつ１の使用前の状態では、使い捨ておむつ１の短手方向の内側に折り返されており、使い捨ておむつ１の使用時には、図１に示すように、使い捨ておむつ１の後身頃２０の両側縁部２２から左右方向へと広げられる。
【００２２】
止着部４０は、着用時に使い捨ておむつ１の腹周り部Ｗに張力を与えて使い捨ておむつ１を着用者に保持する。よって、止着部４０は、ポリオレフィンフィルムやポリエステルフィルムなどの樹脂フィルム、不織布等を単独または組み合わせた材料を用いて形成することができ、伸縮性を有する素材により形成することができる。
【００２３】
図１に示すように、止着部４０は、第１の止着テープ４２と、使い捨ておむつ１の長手方向において、第１の止着テープ４２に離間して配置された第２の止着テープ４４とを有する。そして、第１の止着テープ４２と第２の止着テープ４４とは、第１の止着テープ４２の有効長さＬ１が、第２の止着テープ４４の有効長さＬ２よりも長くなるように設けられている。そして、図１、図４（ａ）および図４（ｂ）に示すように、第１の止着テープ４２には、前身頃１０と後身頃２０とを締結するための締結要素４６が形成され、第２の止着テープ４４には、前身頃１０と後身頃２０とを締結するための締結要素４８と、が設けられ、前身頃１０の側縁部１６の非肌当接面側の表面には、締結要素４６と締結要素４８とを係合する係合要素１２が設けられている。そして、使い捨ておむつ１の着用時に、締結要素４６と締結要素４８とを係合要素１２に固着することで、前身頃１０と後身頃２０とが締結される。なお、本明細書において、有効長さとは、締結要素４６および締結要素４８が表面に露出するように広げた第１の止着テープ４２または第２の止着テープ４４の長さであって、力を印加せずに自然状態とした場合の長さをいう。
【００２４】
これによって、止着部４０は、図４（ａ）に示すように、第１の止着テープ４２と第２の止着テープ４４とを平行に配置して、前身頃１０の側縁部１６の係合要素１２に締結要素４６，４８を固着することができるとともに、図４（ｂ）に示すように、第１の止着テープ４２と第２の止着テープ４４とが交差するように配置して、前身頃１０の係合要素１２に締結要素４６，４８を固着することもできる。特に、使い捨ておむつ１は、図４（ｂ）に示すように、有効長さが長い第１の止着テープ４２を、有効長さが短い第２の止着テープ４４に跨いで交差させて、締結要素４６，４８を固着することができる。すなわち、使い捨ておむつ１は、長い有効長さＬ１を有する第１の止着テープ４２を、第１の止着テープ４２よりも短い有効長さＬ２を有する第２の止着テープ４４に重ねて固定する際に、第１の止着テープ４２および第２の止着テープ４４の重ね止めによる係止位置の自由が高い。このため、使い捨ておむつ１は、各止着テープ４２，４４の調整範囲が広く、股下部Ｌや腹周り部Ｗにおけるフィット性に優れ、特に、体液の漏れ防止効果に優れている。図１には、使い捨ておむつ１の長手方向において、第１の止着テープ４２が、第２の止着テープ４４よりも股下部３０の側に配置されているものが示されている。これによれば、使い捨ておむつ１は、股下部３０へのフィット性をより容易に調節することができ、脚周り部Ｌからの体液の漏れをより良好に防止できる。なお、第１の止着テープ４２および第２の止着テープ４４の重ね止めをする場合には、第２の止着テープ４４が前身頃１０の側縁部１６に止着された後、第１の止着テープ４２が第２の止着テープ４４を跨ぐように側縁部１６に止着されることが好ましい。
【００２５】
止着テープ４２，４４の重ね止めの際には、図４（ｂ）に示す「第１止着テープ４２の中心線と第２止着テープ４４の中心線とのなす角度θ」は限定されないが、例えば、角度θが３０°以上９０°以下となるように、第１止着テープ４２と第２止着テープ４４とが重ねられてもよい。
【００２６】
なお、止着部４０は、図１に示すように、使い捨ておむつ１の後身頃２０の側縁部２２に接合された一端が、共通基部となり、自由端となった他端が、第１の止着テープ４２と第２の止着テープ４４に分かれたものであってもよいし、図示しないが、第１の止着テープ４２の基部と第２の止着テープ４４の基部がそれぞれ、使い捨ておむつ１の後身頃２０の側縁部２２に接合されていてもよい。また、図１に示すように、第１の止着テープ４２と第２の止着テープ４４とは基部側から自由端側に行くに従って幅が漸減する先細り形状であってもよい。止着部４０の基部は少なくとも一部が、立体ギャザー１１８の立体ギャザーシートとバックシート１１４との間またはトップシート１１２とバックシート１１４との間に挟まれて接合されることで、後身頃２０に固着されてもよく、この接合部以外の部位は、後身頃２０から使い捨ておむつ１の短手方向外側に向かって突出する。また、図示するように、締結要素４６と締結要素４８とは、第１の止着テープ４２と第２の止着テープ４４の自由端部近傍において、第１の止着テープ４２と第２の止着テープ４４の一部に配設されて、自由端と基部との間に締結要素４６と締結要素４８とが設けられない中間部が設けていてもよいし、図示しないが、第１の止着テープ４２と第２の止着テープ４４の全面に締結要素４６と締結要素４８とが配設されていてもよい。
【００２７】
図３は、図１の止着部４０のみを拡大した部分拡大図である。「第１の止着テープ４２の有効長さＬ１／第２の止着テープ４４の有効長さＬ２」として定義される第２の止着テープ４４の有効長さＬ２に対する第１の止着テープ４２の有効長さＬ１の比率は、１．５以上４．０以下であることが好ましく、２．０以上３．０以下であることがより好ましい。次に、前身頃１０と後身頃２０とを締結するファスニングシステムについて説明する。締結要素４６，４８としては、面ファスナなどのメカニカルファスニングシステムのフック材を用いることができ、係合要素１２としては、締結要素４６，４８に対する相手材、フロンタルパッチなどのメカニカルファスニングシステムのループ材や不織布を用いることができる。締結要素４６，４８がメカニカルファスニングシステムのフック材である場合、締結要素４６，４８としては、マジックテープ（登録商標）（クラレ社製）、クイックロン（登録商標）（ＹＫＫ社製）、マジクロス（登録商標）（カネボウベルタッチ社製）等、公知のものを特に制限無く用いることができる。また、締結要素４６，４８は、大きさや形状に関して、係合要素１２との充分な係合力が得られれば、特に制限なく用いることができる。上記以外、例えば、締結要素４６，４８と係合要素１２としては、締結要素４６，４８として接着シートを用い、係合要素１２として接着シートのフィルム系基材を用いることもできるように、その他公知の締結システムを用いることができる。なお、メカニカルファスニングシステムのループ材は、樹脂等により形成されたループ材ベースシート、および、ループ材ベースシートの表面に設けられる微細ループ構造を有し、メカニカルファスニングシステムのフック材は、樹脂等により形成されたフック材ベースシート、および、フック材ベースシートの表面に設けられる鍵状やキノコ形状などの凸状のフック構造を有する。締結要素４６，４８は、第１の止着テープ４２および第２の止着テープ４４の基材に、接着や溶着などの方法によって接合されることで、第１の止着テープ４２および第２の止着テープ４４に含まれてもよい。同様に、係合要素１２は、前身頃１０の非肌当接面側の表面に、接着や溶着などの方法によって接合されることで、前身頃１０に含まれてもよい。
【００２８】
そして、図４（ａ）および（ｂ）に図示するように、第２の止着テープ４４には、締結要素４８を形成した面の裏面に、締結要素４６を含む第１の止着テープ４２を着脱可能に固着するためのターゲット要素５０が形成されてもよい。ターゲット要素５０としては、例えば、締結要素４６又は締結要素４６形成領域外の第１の止着テープ４２に対する相手材、フロンタルパッチなどのメカニカルファスニングシステムのループ材やフック材、不織布や接着シートのフィルム系基材などを用いることができる。第１の止着テープ４２と第２の止着テープ４４とを重ね止めする際に、締結要素４６を含む第１の止着テープ４２は、ターゲット要素５０と係合要素１２との少なくとも一部に固着されるように構成することができる。
【００２９】
次に、本実施形態に係る使い捨ておむつ１の変形例である使い捨ておむつ１Ａを、図２を参照して説明する。図２に示すように、使い捨ておむつ１Ａは、止着部４０において、第１の止着テープ４２の代わり第１の止着テープ４２ａ、第２の止着テープ４４の代わりに第２の止着テープ４４ａを有し、有効長さが長い第１の止着テープ４２ａは第２の止着テープ４４ａよりも腹周り部Ｗ側に配置されている点でのみ、本実施形態に係る使い捨ておむつ１と異なる。第１の止着テープ４２ａの有効長さは第２の止着テープ４４ａの有効長さよりもが長い。使い捨ておむつ１Ａは、これ以外の点は、本実施形態に係る使い捨ておむつ１と同様の構成を有する。これによれば、使い捨ておむつ１は、腹周り部Ｗへのフィット性をより容易に調節することができ、腹周り部Ｗからの体液の漏れをより良好に防止できる。なお、第１の止着テープ４２ａおよび第２の止着テープ４４ａの重ね止めをする場合には、第２の止着テープ４４ａが前身頃１０の側縁部１６に止着された後、第１の止着テープ４２ａが第２の止着テープ４４ａを跨ぐように前身頃１０の側縁部１６に止着されることが好ましい。
【００３０】
本実施形態およびその変形例では、止着部４０が第１の止着テープ４２，４２ａおよび第２の止着テープ４４，４４ａを有する例を用いて示したが、これに限定されず、止着部４０は、３以上の複数の止着テープを有するものであってもよい。
【００３１】
また、本実施形態およびその変形例では、使い捨ておむつ１，１Ａにおいて、第１の止着テープ４２，４２ａおよび第２の止着テープ４４，４４ａが広がった状態を用いて説明したが、使い捨ておむつ１の使用前の状態においては、各第１の止着テープ４２および第２の止着テープ４４の少なくとも一部が折り返され、第１の止着テープ４２および第２の止着テープ４４の締結部材４６，４８が設けられた表面に折り返し部が仮止着されてもよい。仮止着されることにより、第１の止着テープ４２および第２の止着テープ４４のメカニカルファスニングシステムが使用前に破損することを防止できる。
【００３２】
以上、実施形態および変形例を用いて本発明を説明したが、本発明の技術的範囲は上記の実施形態および変形例に記載の範囲には限定されないことは言うまでもない。上記実施形態および変形例に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３３】
１，１Ａ                    使い捨ておむつ
１０                        前身頃
１２                        係合要素
１６                        前身頃の側縁部
２０                        後身頃
２２                        後身頃の側縁部
３０                        股下部
４０，４０ａ                止着部
４２，４２ａ                第１の止着テープ
４４，４４ａ                第２の止着テープ
４６，４８                  締結部材
５０                        ターゲット要素
１１２                      トップシート
１１４                      バックシート
１１６                      吸収体
１１８                      立体ギャザー
Ｌ１                        第１の止着テープの有効長さ
Ｌ２                        第２の止着テープの有効長さ
【図１】
0006686255.tif 000002
【図２】
0006686255.tif 000003
【図３】
0006686255.tif 000004
【図４】
0006686255.tif 000005